(57)【要約】【課題】視聴を希望する放送番組の選局に必要なユーザによる選局操作を容易とする。【解決手段】ディジタル放送受信装置１は、選局制御部１０１、１０５、１０６、トランスポート・ストリーム(ＴＳ)情報取得部１０７、デコード制御部１０８、情報記憶部１０２を具備する。選局制御部は、ユーザによる選局要求に応答してＴＳ情報取得部１０７に選局情報を設定する。情報記憶部１０２内部に選局管理テーブル１０３が構成され、選局され受信された選局情報は選局管理テーブル１０３に格納される。選局情報は、番組名情報１０３１と複数のパケット識別子１０３２…１０３５とを含む。ユーザによる選局に応答して選局制御部は複数のパケット識別子を選局管理テーブル１０３から読み出し、選局情報としてＴＳ情報取得部１０７に設定する。【選択図】図１
2010041492.tif 000002
【特許請求の範囲】
【請求項１】
選局制御部、トランスポート・ストリーム情報取得部、デコード制御部、情報記憶部を具備して、
前記トランスポート・ストリーム情報取得部には、チューナによって受信された放送番組の符号化された映像信号と音声信号とを含む番組情報のトランスポート・ストリームが供給され、
前記選局制御部は、ユーザによって選局操作される入力装置の選局要求に応答して前記トランスポート・ストリーム情報取得部に選局情報を設定するものであり、
前記トランスポート・ストリーム情報取得部は、供給される前記番組情報の前記トランスポート・ストリームから前記選局情報により指定される選局番組情報のトランスポート・ストリームを選択的に取得して、取得した当該選局番組情報のトランスポート・ストリームを前記デコード制御部に供給するものであり、
前記選局制御部は、前記情報記憶部の内部に選局管理テーブルを構成するものであり、
前記選局制御部は、前記トランスポート・ストリーム情報取得部における前記選局情報の設定によって選局されて受信された前記選局番組情報の前記選局情報を前記情報記憶部の前記選局管理テーブルに格納するものであり、
前記情報記憶部の前記選局管理テーブルに格納される前記選局番組情報の前記選局情報は、前記選局番組情報の番組名に関係する番組名情報と前記選局番組情報の番組に関係する複数のパケット識別子とを含むものであり、
前記ユーザによる前記入力装置の選局操作による前記選局番組情報の前記番組名に関係する選局入力情報に応答して、前記選局制御部は前記選局管理テーブルに格納された前記複数のパケット識別子を前記選局管理テーブルから読み出すものであり、
前記選局制御部は、前記選局管理テーブルから読み出された前記複数のパケット識別子を前記選局情報として前記トランスポート・ストリーム情報取得部に設定することを特徴とするディジタル放送受信装置。
【請求項２】
前記複数のパケット識別子を前記選局管理テーブルから読み出すための検索入力として前記ユーザによって入力される前記選局入力情報は前記選局番組情報の前記番組名に含まれる重要な文字情報を少なくとも含むことを特徴とする請求項１に記載のディジタル放送受信装置。
【請求項３】
前記複数のパケット識別子には前記選局番組情報の番組を構成する各符号化信号を伝達するトランスポート・ストリームのパケット識別子が記述された番組マップテーブルのパケット識別子が含まれていることを特徴とする請求項１または請求項２のいずれかに記載のディジタル放送受信装置。
【請求項４】
前記複数のパケット識別子には前記選局番組情報の番組を構成する映像エレメンタリー・ストリームのパケット識別子と音声エレメンタリー・ストリームのパケット識別子とが更に含まれていることを特徴とする請求項３に記載のディジタル放送受信装置。
【請求項５】
前記複数のパケット識別子には限定受信システムで必要な共通情報のパケット識別子が更に含まれていることを特徴とする請求項４に記載のディジタル放送受信装置。
【請求項６】
前記情報記憶部は受信ディジタル放送のコンテンツの蓄積に使用される磁気記憶装置または前記ディジタル放送受信装置に内蔵の半導体集積回路のための動作プログラムを格納する不揮発性半導体メモリのいずれかで構成されていることを特徴とする請求項６に記載のディジタル放送受信装置。
【請求項７】
選局制御部、トランスポート・ストリーム情報取得部、デコード制御部、情報記憶部を具備するディジタル放送受信装置に使用される半導体集積回路であって、
前記トランスポート・ストリーム情報取得部には、チューナによって受信された放送番組の符号化された映像信号と音声信号とを含む番組情報のトランスポート・ストリームが供給され、
前記選局制御部は、ユーザによって選局操作される入力装置の選局要求に応答して前記トランスポート・ストリーム情報取得部に選局情報を設定するものであり、
前記トランスポート・ストリーム情報取得部は、供給される前記番組情報の前記トランスポート・ストリームから前記選局情報により指定される選局番組情報のトランスポート・ストリームを選択的に取得して、取得した当該選局番組情報のトランスポート・ストリームを前記デコード制御部に供給するものであり、
前記選局制御部は、前記情報記憶部の内部に選局管理テーブルを構成するものであり、
前記選局制御部は、前記トランスポート・ストリーム情報取得部における前記選局情報の設定によって選局されて受信された前記選局番組情報の前記選局情報を前記情報記憶部の前記選局管理テーブルに格納するものであり、
前記情報記憶部の前記選局管理テーブルに格納される前記選局番組情報の前記選局情報は、前記選局番組情報の番組名に関係する番組名情報と前記選局番組情報の番組に関係する複数のパケット識別子とを含むものであり、
前記ユーザによる前記入力装置の選局操作による前記選局番組情報の前記番組名に関係する選局入力情報に応答して、前記選局制御部は前記選局管理テーブルに格納された前記複数のパケット識別子を前記選局管理テーブルから読み出すものであり、
前記選局制御部は、前記選局管理テーブルから読み出された前記複数のパケット識別子を前記選局情報として前記トランスポート・ストリーム情報取得部に設定するものであり、
前記半導体集積回路には、中央処理ユニットとＭＰＥＧビデオ・デコード・エンジンとトランスポート・ストリーム・入出力ユニットとが少なくとも集積化されているものであり、
前記中央処理ユニットは、前記選局制御部と同一の動作機能を持ち、
前記トランスポート・ストリーム・入出力ユニットは、前記トランスポート・ストリーム情報取得部と同一の動作機能を持ち、
前記ＭＰＥＧビデオ・デコード・エンジンは、前記デコード制御部と同一の動作機能を持つことを特徴とするものである半導体集積回路。
【請求項８】
前記複数のパケット識別子を前記選局管理テーブルから読み出すための検索入力として前記ユーザによって入力される前記選局入力情報は前記選局番組情報の前記番組名に含まれる重要な文字情報を少なくとも含むことを特徴とする請求項７に記載の半導体集積回路。
【請求項９】
前記複数のパケット識別子には前記選局番組情報の番組を構成する各符号化信号を伝達するトランスポート・ストリームのパケット識別子が記述された番組マップテーブルのパケット識別子が含まれていることを特徴とする請求項７または請求項８のいずれかに記載の半導体集積回路。
【請求項１０】
前記複数のパケット識別子には前記選局番組情報の番組を構成する映像エレメンタリー・ストリームのパケット識別子と音声エレメンタリー・ストリームのパケット識別子とが更に含まれていることを特徴とする請求項９に記載の半導体集積回路。
【請求項１１】
前記複数のパケット識別子には限定受信システムで必要な共通情報のパケット識別子が更に含まれていることを特徴とする請求項１０に記載の半導体集積回路。
【請求項１２】
前記情報記憶部は受信ディジタル放送のコンテンツの蓄積に使用される磁気記憶装置または前記半導体集積回路のための動作プログラムを格納する不揮発性半導体メモリのいずれかで構成されていることを特徴とする請求項１１に記載の半導体集積回路。
【発明の詳細な説明】
【技術分野】
【０００１】
本発明は、ディジタル放送受信装置およびそれに使用される半導体集積回路に関し、特に視聴を希望する放送番組の選局に必要なユーザによる入力装置の選局操作を容易にするのに有益な技術に関する。
【背景技術】
【０００２】
現在、普及が進んでいるディジタル放送では、映像と音声のエレメンタリー・ストリームに加えて種々の放送付加情報が多重化されて放送されている。この放送付加情報としては、例えば電子番組ガイドシステム(ＥＰＧ：Electronic Program Guide)があって、電子番組ガイドシステム(ＥＰＧ)にはイベント情報テーブル(ＥＩＴ：Event Information Table)に含まれている。また、イベント情報テーブル(ＥＩＴ)には、番組毎の開始時間、番組長、番組名、出演者、番組のジャンル等の付随情報が含まれている。
【０００３】
従って、ディジタル放送を受信するディジタル放送受信装置には、放送付加情報を受信して利用する機能を具備するものである。
【０００４】
下記特許文献１には、放送の番組延長や臨時番組の挿入等の理由での放送局の番組表の構成内容の変更に素早く対応するために、ユーザの視聴履歴を基にユーザが興味のある番組が多く頻繁に視聴する機会が多い放送局を判断して、この判断結果に従った順番でＥＰＧスキャンを実行してＥＰＧ情報を表示するように構成されたディジタル放送受信装置が記載されている。
【０００５】
【特許文献１】特開２００６−５０４５５号  公報
【発明の開示】
【発明が解決しようとする課題】
【０００６】
本発明者等は本発明に先立って、電子番組ガイドシステム(ＥＰＧ)等の種々の放送付加情報を高度に利用するディジタル放送受信装置の研究・開発に従事した。
【０００７】
本発明者等は上記特許文献１に記載の技術を検討したところ、上記特許文献１に記載のディジタル放送受信装置によれば放送局の番組表の構成内容の変更の後にユーザが視聴する機会が多い放送局のＥＰＧ情報による番組表を表示する時間を短縮できるものであるが、ユーザが視聴を希望する放送番組を選局するための選局時間を短縮するものではないことが明らかとされた。
【０００８】
特に、最近のディジタルテレビジョン放送受信装置は、アナログテレビジョン放送受信装置と著しく相違するものであって、地上波ディジタル放送、ＢＳディジタル放送、ＣＳディジタル放送のＲＦインターフェース経由の３種類のディジタル放送を受信するばかりか、更に、イーサーネットワーク・インターフェース経由のＩＰネットワークのディジタル放送を受信する機能を持つものである。
【０００９】
このように著しく放送受信機能が高度化されたディジタル放送受信装置では、逆に、ユーザが視聴を希望する放送番組を選局するために必要なリモート・コントローラ等の入力装置のボタンの操作回数も多く煩雑であると言う問題が本発明者等による検討によって明らかとされた。本格的な高齢化社会の到来によって、高齢のユーザに取っても視聴を希望する放送番組の選局に必要な入力装置の操作が容易な放送受信機能が高度化されたディジタル放送受信装置が望まれていることも、本発明者等による検討によって明らかとされた。
【００１０】
本発明は、以上のような本発明に先立った本発明者等の検討の結果、なされたものである。従って、本発明の目的とするところは、視聴を希望する放送番組を選局するために、必要なユーザによる入力装置の選局操作が容易なディジタル放送受信装置を提供することにある。
【００１１】
本発明の前記ならびにその他の目的と新規な特徴は、本明細書の記述および添付図面から明らかになるであろう。
【課題を解決するための手段】
【００１２】
本願において開示される発明のうちの代表的なものについて簡単に説明すれば下記のとおりである。
【００１３】
すなわち、本発明の代表的なディジタル放送受信装置(１)は、選局制御部(１０１、１０５、１０６)、トランスポート・ストリーム情報取得部(１０７)、デコード制御部(１０８)、情報記憶部(１０２)を具備する。
【００１４】
トランスポート・ストリーム情報取得部(１０７)には、受信された番組のトランスポート・ストリームが供給される。選局制御部(１０１、１０５、１０６)は、ユーザによる選局要求に応答してトランスポート・ストリーム情報取得部(１０７)に選局情報を設定する。トランスポート・ストリーム情報取得部(１０７)は、選局情報により指定される選局番組情報のトランスポート・ストリームを選択的に取得する。
【００１５】
選局制御部(１０１、１０５、１０６)は、情報記憶部(１０２)内部に選局管理テーブル(１０３)を構成して、選局され受信された選局番組情報の選局情報を選局管理テーブル(１０３)に格納する。選局管理テーブル(１０３)に格納される選局情報は、番組名情報(１０３１)と選局番組情報の番組に関係する複数のパケット識別子(１０３２…１０３５)とを含む。
【００１６】
ユーザによる選局入力情報に応答して選局制御部(１０１、１０５、１０６)は複数のパケット識別子(１０３２…１０３５)を選局管理テーブル(１０３)から読み出して、選局情報としてトランスポート・ストリーム情報取得部(１０７)に設定することを特徴とするものである。
【発明の効果】
【００１７】
本願において開示される発明のうち代表的なものによって得られる効果を簡単に説明すれば下記の通りである。すなわち、視聴を希望する放送番組を選局するために必要なユーザによる入力装置の選局操作が容易なディジタル放送受信装置を提供することができる。
【発明を実施するための最良の形態】
【００１８】
《代表的な実施の形態》
先ず、本願において開示される発明の代表的な実施の形態について概要を説明する。代表的な実施の形態についての概要説明で括弧を付して参照する図面の参照符号はそれが付された構成要素の概念に含まれるものを例示するに過ぎない。
【００１９】
〔１〕本発明の代表的な実施の形態によるディジタル放送受信装置(１)は、選局制御部(１０１、１０５、１０６)、トランスポート・ストリーム情報取得部(１０７)、デコード制御部(１０８)、情報記憶部(１０２)を具備する。
【００２０】
前記トランスポート・ストリーム情報取得部(１０７)には、チューナ(２０１、２０２)によって受信された放送番組の符号化された映像信号と音声信号とを含む番組情報のトランスポート・ストリーム(ＴＳ)が供給される。
【００２１】
前記選局制御部(１０１、１０５、１０６)は、ユーザによって選局操作される入力装置の選局要求に応答して前記トランスポート・ストリーム情報取得部(１０７)に選局情報を設定するものである。
【００２２】
前記トランスポート・ストリーム情報取得部(１０７)は、供給される前記番組情報の前記トランスポート・ストリームから前記選局情報により指定される選局番組情報のトランスポート・ストリームを選択的に取得して、取得した当該選局番組情報のトランスポート・ストリームを前記デコード制御部(１０８)に供給するものである。
【００２３】
前記選局制御部(１０１、１０５、１０６)は、前記情報記憶部(１０２)の内部に選局管理テーブル(１０３)を構成するものである。
【００２４】
前記選局制御部は、前記トランスポート・ストリーム情報取得部(１０７)における前記選局情報の設定によって選局されて受信された前記選局番組情報の前記選局情報を前記情報記憶部(１０２)の前記選局管理テーブル(１０３)に格納するものである(図１参照)。
【００２５】
前記情報記憶部(１０２)の前記選局管理テーブル(１０３)に格納される前記選局番組情報の前記選局情報は、前記選局番組情報の番組名に関係する番組名情報(１０３１)と前記選局番組情報の番組に関係する複数のパケット識別子(１０３２…１０３５)とを含むものである(図３参照)。
【００２６】
前記ユーザによる前記入力装置の選局操作による前記選局番組情報の前記番組名に関係する選局入力情報に応答して、前記選局制御部(１０１、１０５、１０６)は、前記選局管理テーブル(１０３)に格納された前記複数のパケット識別子(１０３２…１０３５)を前記選局管理テーブル(１０３)から読み出すものである。
【００２７】
前記選局制御部(１０１、１０５、１０６)は、前記選局管理テーブル(１０３)から読み出された前記複数のパケット識別子(１０３２…１０３５)を前記選局情報として前記トランスポート・ストリーム情報取得部(１０７)に設定することを特徴とするものである(図１、図２、図３参照)。
【００２８】
前記実施の形態によれば、過去に選局され受信された選局番組情報に関して、選局番組情報の番組名情報(１０３１)と伴に選局番組情報の番組に関係する複数のパケット識別子(１０３２…１０３５)とが情報記憶部(１０２)の選局管理テーブル(１０３)に格納されるものである。
【００２９】
従って、ユーザによる入力装置の選局操作では、過去に視聴されて現時点でも同様に視聴を希望する選局番組情報の番組名の情報を入力するだけで良いものとなる。すなわち、ユーザによる番組名の情報の入力によって、選局管理テーブル(１０３)からトランスポート・ストリーム情報取得部(１０７)には選局番組情報の番組名の情報に対応する複数のパケット識別子(１０３２…１０３５)が自動的に設定されるものである。その結果、視聴を希望する放送番組を選局するために、ユーザによる入力装置の選局操作を容易とすることができる。
【００３０】
好適な実施の形態では、前記複数のパケット識別子(１０３２…１０３５)を前記選局管理テーブル(１０３)から読み出すための検索入力として前記ユーザによって入力される前記選局入力情報は前記選局番組情報の前記番組名に含まれる重要な文字情報を少なくとも含むことを特徴とするものである。
【００３１】
より好適な実施の形態では、前記複数のパケット識別子には前記選局番組情報の番組を構成する各符号化信号を伝達するトランスポート・ストリームのパケット識別子が記述された番組マップテーブル(ＰＭＴ)のパケット識別子(１０３２)が含まれていることを特徴とするものである(図３参照)。
【００３２】
更により好適な実施の形態では、前記複数のパケット識別子には前記選局番組情報の番組を構成する映像エレメンタリー・ストリームのパケット識別子(１０３３)と音声エレメンタリー・ストリームのパケット識別子(１０３４)とが更に含まれていることを特徴とするものである(図３参照)。
【００３３】
具体的な一つの実施の形態では、前記複数のパケット識別子には限定受信システム(ＣＡＳ)で必要な共通情報(ＥＣＭ)のパケット識別子(１０３５)が更に含まれていることを特徴とするものである(図３参照)。
【００３４】
最も具体的な一つの実施の形態では、前記情報記憶部(１０２)は受信ディジタル放送のコンテンツの蓄積に使用される磁気記憶装置または前記ディジタル放送受信装置に内蔵の半導体集積回路のための動作プログラムを格納する不揮発性半導体メモリのいずれかで構成されていることを特徴とするものである(図６参照)。
【００３５】
〔２〕本発明の別の観点の代表的な実施の形態は、選局制御部、トランスポート・ストリーム情報取得部、デコード制御部、情報記憶部を具備するディジタル放送受信装置に使用される半導体集積回路である。
【００３６】
前記トランスポート・ストリーム情報取得部には、チューナによって受信された放送番組の符号化された映像信号と音声信号とを含む番組情報のトランスポート・ストリームが供給される。
【００３７】
前記選局制御部は、ユーザによって選局操作される入力装置の選局要求に応答して前記トランスポート・ストリーム情報取得部に選局情報を設定するものである。
【００３８】
前記トランスポート・ストリーム情報取得部は、供給される前記番組情報の前記トランスポート・ストリームから前記選局情報により指定される選局番組情報のトランスポート・ストリームを選択的に取得して、取得した当該選局番組情報のトランスポート・ストリームを前記デコード制御部に供給するものである。
【００３９】
前記選局制御部は、前記情報記憶部の内部に選局管理テーブルを構成するものである。
【００４０】
前記選局制御部は、前記トランスポート・ストリーム情報取得部における前記選局情報の設定によって選局されて受信された前記選局番組情報の前記選局情報を前記情報記憶部の前記選局管理テーブルに格納するものである(図１参照)。
【００４１】
前記情報記憶部の前記選局管理テーブルに格納される前記選局番組情報の前記選局情報は、前記選局番組情報の番組名に関係する番組名情報と前記選局番組情報の番組に関係する複数のパケット識別子とを含むものである。
【００４２】
前記ユーザによる前記入力装置の選局操作による前記選局番組情報の前記番組名に関係する選局入力情報に応答して、前記選局制御部は、前記選局管理テーブルに格納された前記複数のパケット識別子を前記選局管理テーブルから読み出すものである。
【００４３】
前記選局制御部は、前記選局管理テーブルから読み出された前記複数のパケット識別子を前記選局情報として前記トランスポート・ストリーム情報取得部に設定するものである(図１、図２、図３参照)。
【００４４】
前記半導体集積回路(５００)には、中央処理ユニット(５０１)とＭＰＥＧビデオ・デコード・エンジン(５０２)とトランスポート・ストリーム・入出力ユニット(５０４)とが少なくとも集積化されているものである。
【００４５】
前記中央処理ユニット(５０１)は前記選局制御部(１０１、１０５、１０６)と同一の動作機能を持ち、前記トランスポート・ストリーム・入出力ユニット(５０４)は前記トランスポート・ストリーム情報取得部(１０７)と同一の動作機能を持ち、前記ＭＰＥＧビデオ・デコード・エンジン(５０２)は前記デコード制御部(１０８)と同一の動作機能を持つことを特徴とするものである(図６参照)。
【００４６】
《実施の形態の説明》
次に、実施の形態について更に詳述する。尚、発明を実施するための最良の形態を説明するための全図において、前記の図と同一の機能を有する部品には同一の符号を付して、その繰り返しの説明は省略する。
【００４７】
《ディジタル放送受信装置の構成》
図１は、本発明の実施の形態によるディジタル放送受信装置１の構成を説明するブロック図である。
【００４８】
図１の本発明の実施の形態によるディジタル放送受信装置１は、放送局からのディジタル放送によって送出される番組情報を利用して、選局処理に必要な時間を短縮して選局を行うための選局情報を保存する情報記憶部を有するものである。
【００４９】
すなわち、図１の本発明の実施の形態によるディジタル放送受信装置１は、受信選局入力部１０１、情報記憶部１０２、番組名・選局情報管理テーブル１０３、トランスポート・ストリーム取得部１０４、選局処理制御部１０５、選局情報推定部１０６、トランスポート・ストリーム情報取得部１０７、デコード制御部１０８、映像・音声出力部１０９を含むものである。
【００５０】
受信選局入力部１０１には、ディジタル放送受信装置１に接続される例えばリモート・コントローラ等の入力装置上のボタンの押下によってユーザが入力したアップダウン選局やダイレクト選局等による番組選局要求が赤外線入力信号の形態で供給される。受信選局入力部１０１は赤外線入力信号を電気信号の選局情報に変換して、変換された選局情報は選局処理制御部１０５に供給される。
【００５１】
トランスポート・ストリーム取得部１０４には、フルセグメント高品位放送である地上波ディジタル放送を受信する地上波ディジタルチューナー２０１と、ＢＳディジタル放送とＣＳディジタル放送の衛星ディジタル放送を受信する衛星ディジタルチューナー２０２とのＲＦインターフェース２００が接続される。また、トランスポート・ストリーム取得部１０４には、更にＩＰネットワークからディジタル放送を受信するためのＮＩＣ(Network Interface Card)等のイーサーネットワーク・インターフェース２０３が接続される。尚、ＲＦはRadio Frequencyの略で、ＩＰはInternet Protocolの略である。またトランスポート・ストリームは、ＭＰＥＧシステム規格にて規定されたものである。すなわち、ディジタル放送では、トランスポート・ストリーム(ＴＳ)は、例えば符号化された映像信号、音声信号、セクション形式等で変換された番組情報が多重化されたデータストリームとなっている。尚、ＭＰＥＧはMoving Picture Experts Groupの略であり、ＴＳはTransport Streamの略である。
【００５２】
トランスポート・ストリーム情報取得部１０７には、後に説明するように選局処理制御部１０５から種々のパケット識別子(ＰＩＤ)を含む選局情報が供給される。従って、トランスポート・ストリーム情報取得部１０７は、トランスポート・ストリーム取得部１０４から供給されるトランスポート・ストリームの中から指定された選局情報に含まれるパケット識別子(ＰＩＤ)と一致する各セクション情報、映像／音声パケットをフィルタリングによって取得して、取得した映像／音声パケットをデコード制御部１０８に供給するものである。尚、ＰＩＤは、Packet Identifierの略である。
【００５３】
デコード制御部１０８はトランスポート・ストリーム情報取得部１０７から供給される符号化映像／音声パケットを復号して、復号した映像信号と音声信号とを映像・音声出力部１０９に供給する。またデコード制御部１０８は、選局処理制御部１０５から供給される映像出力・音声出力タイミングの指定に従って映像・音声出力部１０９への映像信号と音声信号の出力を制御する動作も実行するものである。
【００５４】
映像・音声出力部１０９は、デコード制御部１０８で出力された復号された映像フレーム・音声フレームを動画像として表示する。映像・音声の出力は、ディジタル放送受信装置１に付属する表示ディスプレイ、スピーカー等の映像・音声出力装置を利用することもでき、それ以外にホームネットワーク等を介して通信によってディジタル放送受信装置１とは別の装置に付属する映像・音声出力装置を使用することもできる。
【００５５】
情報記憶部１０２には、例えば、受信ディジタル放送の各種コンテンツの蓄積に使用されるハードディスクドライブ(ＨＤＤ：Hard Disk Drive)のディジタル放送受信装置１に内蔵された磁気記憶装置を使用することができる。それ以外に、情報記憶部１０２には、ディジタル放送受信装置１の内蔵ＬＳＩのための種々の動作プログラムを格納するフラッシュメモリ等の不揮発性半導体メモリを使用することができる。特に、情報記憶部１０２は番組名・選局情報管理テーブル１０３を含み、番組名・選局情報管理テーブル１０３にはディジタル放送受信装置１によって過去に受信された放送番組の選局情報が格納されている。
【００５６】
≪番組名・選局情報管理テーブルへ格納される選局情報≫
番組名・選局情報管理テーブル１０３へ格納される選局情報としては、下記のものがある。
【００５７】
最初の選局情報は、過去の受信の間に選局処理制御部１０５によって取得された電子番組ガイドシステム(ＥＰＧ)のイベント情報テーブル(ＥＩＴ)に含まれる番組名の情報である。すなわち、イベント情報テーブル(ＥＩＴ)には、番組毎の開始時間、番組長、番組名、出演者、番組のジャンル等の付随情報が含まれている。尚、ＥＩＴは、Event Information Tableの略である。
【００５８】
次の選局情報は、番組マップテーブル(ＰＭＴ)のパケット識別子(ＰＩＤ)である。この番組マップテーブル(ＰＭＴ)は、番組を構成する各符号化信号を伝送するＴＳパケットのパケット識別子(ＰＩＤ)および有料放送の関連情報の共通情報を伝達するパケット識別子(ＰＩＤ)が記述されるテーブルである。ユーザが行う選局とは、チューナからの出力信号からこのテーブルを取得するまでの処理と言うことができる。このように、番組マップテーブルは、ディジタル放送で最も重要なテーブルの１つであるとされている。尚、ＰＭＴは、Program Map Tableの略である。
【００５９】
また、この番組マップテーブル(ＰＭＴ)のパケット識別子(ＰＩＤ)に付随して、番組を構成する映像エレメンタリー・ストリームのパケット識別子(ＰＩＤ)と音声エレメンタリー・ストリームのパケット識別子(ＰＩＤ)とが番組名の情報に対応して番組名・選局情報管理テーブル１０３へ格納される。
【００６０】
更に、番組名の情報に対応して番組名・選局情報管理テーブル１０３へ格納される次の選局情報は、限定受信システム(ＣＡＳ)で必要な共通情報(ＥＣＭ)のパケット識別子(ＰＩＤ)である。すなわち、コンディショナルアクセスシステム(ＣＡＳ)と呼ばれる限定受信システムは、放送番組情報にスクランブル(暗号化)を行い、視聴者ごとに許可された(契約した)番組のみを受信できるように視聴制御を行うシステムである。視聴制御を行う番組では、その番組の映像、音声、データにスクランブル処理を行って送信して、正規の視聴者のみがスクランブル解除できることで制御されるものである。各番組の視聴条件はＥＣＭと呼ばれる共通情報で、また各視聴者の契約内容はＥＭＭと呼ばれる共通情報で、放送波によってそれぞれの受信機に送信される。また受信機は、付属するＩＣカードの識別番号によって識別されることができる。このＩＣカードにＥＭＭで各視聴者の契約内容情報を書き込み、ＥＣＭの視聴条件とＩＣカード内の契約内容によって番組の視聴可否が判断されて、受信機のスクランブル解除処理が制御される。このＩＣカードとしては、ＢＳディジタル放送と地上波ディジタル放送で共通にＢ−ＣＡＳカードが使用される。尚、ＣＡＳはConditional Access Systemの略で、ＥＣＭはEntitlement Control Messageの略で、ＥＭＭはEntitlement Management Messageの略である。
【００６１】
《ディジタル放送受信装置での選局動作》
選局処理制御部１０５は、ユーザが受信選局入力部１０１に入力した選局情報に応答して選局情報推定部１０６に対して選局対象候補となる番組の選局情報の推定を要求する。すると、選局情報推定部１０６は、選局処理制御部１０５から供給された選局情報に従って情報記憶部１０２の番組名・選局情報管理テーブル１０３に格納された選局情報を検索する。この検索は、選局情報である番組名の情報を検索入力情報として番組名・選局情報管理テーブル１０３から番組マップテーブル(ＰＭＴ)のパケット識別子、番組を構成する映像エレメンタリー・ストリームのパケット識別子と音声エレメンタリー・ストリームのパケット識別子、限定受信システム(ＣＡＳ)で必要な共通情報(ＥＣＭ)のパケット識別子の４種類のパケット識別子(ＰＩＤ)を検索結果として出力するものである。
【００６２】
一方、トランスポート・ストリーム取得部１０４から供給される受信トランスポート・ストリームには、最新の番組関連テーブル(ＰＡＴ)が含まれている。また、番組関連テーブル(ＰＡＴ)は、番組マップテーブル(ＰＭＴ)を伝送するＴＳパケットのパケット識別子(ＰＩＤ)を記述したテーブルである。すなわち、選局情報推定部１０６は最新の番組関連テーブル(ＰＡＴ)に含まれた番組マップテーブル(ＰＭＴ)のパケット識別子(ＰＩＤ)と過去の受信により番組名・選局情報管理テーブル１０３に格納された選局情報としての番組マップテーブル(ＰＭＴ)のパケット識別子(ＰＩＤ)とを照合して、一致しているかを検証する。検証の結果、両方の番組マップテーブル(ＰＭＴ)のパケット識別子(ＰＩＤ)が一致している場合には、ユーザが受信を希望する番組のトランスポート・ストリームが現在トランスポート・ストリーム取得部１０４から供給されていると選局情報推定部１０６は推定する。この推定結果に従って、一致した番組マップテーブル(ＰＭＴ)のパケット識別子(ＰＩＤ)と伴に番組を構成する映像エレメンタリー・ストリームのパケット識別子と音声エレメンタリー・ストリームのパケット識別子、限定受信システム(ＣＡＳ)で必要な共通情報(ＥＣＭ)のパケット識別子は、選局処理制御部１０５を介して、トランスポート・ストリーム情報取得部１０７に設定される。尚、ＰＡＴは、Program Association Tableの略である。
【００６３】
この４種類のパケット識別子(ＰＩＤ)の設定によってトランスポート・ストリーム情報取得部１０７は、トランスポート・ストリーム取得部１０４から供給されるトランスポート・ストリームの中から設定された番組マップテーブル(ＰＭＴ)のパケット識別子(ＰＩＤ)に一致する各セクション情報、映像／音声パケットをフィルタリングして取得して、取得した映像／音声パケットをデコード制御部１０８に供給するものである。
【００６４】
《番組名・選局情報管理テーブルの構成》
図３は、図１に示す本発明の実施の形態によるディジタル放送受信装置１の情報記憶部１０２の番組名・選局情報管理テーブル１０３の構成を示す図である。
【００６５】
図３の番組名・選局情報管理テーブル１０３において、１番目の番組名エントリー１０３１中には、電子番組ガイドシステム(ＥＰＧ)のイベント情報テーブル(ＥＩＴ)に含まれる複数個の番組名の情報が格納可能とされる。テーブル１０３の２番目のエントリー１０３２中には、複数個の番組マップテーブル(ＰＭＴ)のパケット識別子(ＰＩＤ)が複数個の番組に対応して格納可能とされる。またテーブル１０３の３番目のエントリー１０３３と４番目のエントリー１０３４とには、番組を構成する映像エレメンタリー・ストリームのパケット識別子(ＰＩＤ)と音声エレメンタリー・ストリームのパケット識別子(ＰＩＤ)とがそれぞれ複数個の番組に対応して複数、格納可能とされている。最後にテーブル１０３の５番目のエントリー１０３５中には、限定受信システム(ＣＡＳ)に必要な共通情報(ＥＣＭ)のパケット識別子(ＰＩＤ)が複数個の番組に対応して、複数、格納可能とされている。
【００６６】
《高速選局方法》
次に、番組情報に含まれる番組名を利用することによって選局処理に要する時間を短縮する高速選局方法について説明する。
【００６７】
図２は、図１に示す本発明の実施の形態によるディジタル放送受信装置１において実行される高速選局方法の処理を示す図である。以下に、図２に示す高速選局方法の処理を説明する。
【００６８】
ステップＳ２０１において、受信選局入力部１０１から入力されたユーザからの選局情報に応答して選局処理制御部１０５は、選局情報推定部１０６に選局情報としての番組名を供給すると同時に選局対象候補となる番組の選局情報の推定を要求する。
【００６９】
すると、選局情報推定部１０６は、選局情報としての放送の番組名に従って情報記憶部１０２の番組名・選局情報管理テーブル１０３に格納された選局情報としての番組名の情報、番組マップテーブル(ＰＭＴ)のパケット識別子(ＰＩＤ)、番組を構成する映像エレメンタリー・ストリームのパケット識別子(ＰＩＤ)と音声エレメンタリー・ストリームのパケット識別子(ＰＩＤ)、限定受信システム(ＣＡＳ)で必要な共通情報(ＥＣＭ)のパケット識別子(ＰＩＤ)を検索する。ステップＳ２０１では、選局情報としての放送の番組名に従った番組名・選局情報管理テーブル１０３の検索の処理と平行して、管理テーブル１０３にて検索される放送の番組の番組マップテーブル(ＰＭＴ)を含む最新の番組関連テーブル(ＰＡＴ)の取得が開始される。
【００７０】
ステップＳ２０１における番組名を検索キーとした番組名・選局情報管理テーブル１０３での検索の結果から選局対象候補の情報が番組名・選局情報管理テーブル１０から出力された場合には、ステップＳ２０２の処理に進む。しかし、ステップＳ２０１における番組名を検索キーとした番組名・選局情報管理テーブル１０３での検索の結果から選局対象候補の情報が番組名・選局情報管理テーブル１０から出力されなかった場合には、ステップＳ２０３の処理に進む。
【００７１】
ステップＳ２０２では、選局情報推定部１０６による番組名・選局情報管理テーブル１０３の検索により出力された選局情報である番組マップテーブル(ＰＭＴ)のパケット識別子(ＰＩＤ)、番組を構成する映像エレメンタリー・ストリームのパケット識別子(ＰＩＤ)と音声エレメンタリー・ストリームのパケット識別子(ＰＩＤ)、限定受信システム(ＣＡＳ)で必要な共通情報(ＥＣＭ)のパケット識別子(ＰＩＤ)は、選局処理制御部１０５によってそのままトランスポート・ストリーム情報取得部１０７に設定される。１つのディジタル放送番組では、複数のサービスが含まれることがあり、映像信号と音声信号との複数のペアからユーザは任意の１つのペアをリモートコンローラの操作によって選択することができる。尚、この複数のサービスは、サービス記述テーブル(ＳＤＴ：Service Description Table)と呼ばれる番組配列情報(ＳＩ：Service Information)に記述されている。従って、番組を構成する各符号化信号を伝送するＴＳパケットのパケット識別子(ＰＩＤ)を記述するテーブルとしての番組マップテーブル(ＰＭＴ)とは別に、番組を構成する映像エレメンタリー・ストリームのパケット識別子(ＰＩＤ)と音声エレメンタリー・ストリームのパケット識別子(ＰＩＤ)とが番組名・選局情報管理テーブル１０３に格納されている。
【００７２】
その後のステップＳ２０４において、トランスポート・ストリーム情報取得部１０７は、トランスポート・ストリーム取得部１０４から供給される種々のトランスポート・ストリームの中から選局処理制御部１０５によってステップＳ２０２で設定された上述の４種類のパケット識別子(ＰＩＤ)と一致するパケット識別子(ＰＩＤ)を含むトランスポート・ストリームのパケットの取得を開始するものである。すなわち、トランスポート・ストリーム情報取得部１０７で取得されるトランスポート・ストリームのパケットは、選局情報の番組マップテーブル(ＰＭＴ)と映像と音声と限定受信システム(ＣＡＳ)で必要な共通情報(ＥＣＭ)との４種類のトランスポート・ストリームのパケットである。
【００７３】
その後のステップＳ２０５では、トランスポート・ストリーム情報取得部１０７がステップＳ２０４から開始した４種類のトランスポート・ストリームのパケットの取得によって、各パケットの取得が正常に実行されているかを確認する。尚、このステップＳ２０５での確認の処理では、４種類のトランスポート・ストリームのパケットにデータが含まれているかと言う比較的簡単な確認の処理としている。その理由は、更に正確な確認処理が後のステップＳ２０８で実行されること、データ処理量の大きなステップＳ２０６の映像と音声のエレメンタリー・ストリームのデコード処理を早期に開始してリアルタイム・ＭＰＥＧ・デコードを実行する必要があることの２つのためである。
【００７４】
従って、このステップＳ２０５での比較的簡単な確認によりステップＳ２０４から開始したトランスポート・ストリーム情報取得部１０７によるトランスポート・ストリームのパケット取得によって各パケットの取得が正常に実行されていると確認された場合には、次のステップＳ２０６の映像と音声のデコード処理に進むものである。
【００７５】
一方、このステップＳ２０５の比較的簡単な確認により各パケットの取得が正常に実行されていないと確認された場合には、過去の受信により番組名・選局情報管理テーブル１０３に格納された選局情報が古くなって、番組名・選局情報管理テーブル１０３に格納された古い選局情報に対応する新しい放送番組が現在放送されていないことになる。この場合には、ステップＳ２０７に進み、ステップＳ２０７にてステップＳ２０１で取得が開始された最新の番組関連テーブル(ＰＡＴ)に含まれる最新の番組マップテーブル(ＰＭＴ)に記述された番組マップテーブル(ＰＭＴ)の新しいパケット識別子(ＰＩＤ)と、番組を構成する映像エレメンタリー・ストリームの新しいパケット識別子(ＰＩＤ)および音声エレメンタリー・ストリームの新しいパケット識別子(ＰＩＤ)と、限定受信システム(ＣＡＳ)で必要な共通情報(ＥＣＭ)の新しいパケット識別子(ＰＩＤ)をトランスポート・ストリーム情報取得部１０７に設定するものである。
【００７６】
尚、トランスポート・ストリーム情報取得部１０７に設定される選局情報は、ユーザが選局を希望した放送番組名と同一または極めて類似した放送番組の選局情報となる。また、トランスポート・ストリーム情報取得部１０７の新規な設定による放送番組の受信によってこの放送番組の選局情報は番組名・選局情報管理テーブル１０３に格納されるので、次回からの放送番組の選局時間を短縮することができる。
【００７７】
映像と音声のデコード処理のステップＳ２０６において、トランスポート・ストリーム情報取得部１０７が取得した番組のトランスポート・ストリームとスクランブル解除鍵とをデコード制御部１０８に供給して、デコード制御部１０８にて選局した番組の映像および音声のエレメンタリー・ストリームのパケットのスクランブル解除と復号処理とを行う。
【００７８】
ステップＳ２０８では、トランスポート・ストリーム情報取得部１０７がステップＳ２０４から開始した４種類のトランスポート・ストリームの各パケットの取得が正常に実行されているかを厳密に確認するものである。パケット取得が正常に実行されていれば、次のステップＳ２０９で正常な映像データと音声データとを映像・音声出力部１０９に出力することができる。しかし、パケット取得が正常に実行されなければ、スクランブルを解除することができないか、次のステップＳ２０９では異常な映像データと音声データとが映像・音声出力部１０９に出力されてしまう。
【００７９】
このような異常事態は、ステップＳ２０４のトランスポート・ストリーム情報取得部１０７によるパケットの取得により取得された４種類のトランスポート・ストリームに含まれるパケット識別子(ＰＩＤ)がステップＳ２０２で選局処理制御部１０５によってトランスポート・ストリーム情報取得部１０７に設定された上述の４種類のパケット識別子(ＰＩＤ)と不一致となることに起因するものである。ステップＳ２０２にて選局処理制御部１０５によりトランスポート・ストリーム情報取得部１０７に設定される４種類のパケット識別子(ＰＩＤ)は、選局情報推定部１０５による番組名・選局情報管理テーブル１０３の検索によって出力された過去の４種類のパケット識別子(ＰＩＤ)である。
【００８０】
ステップＳ２０２で選局情報管理テーブル１０３から出力された過去の４種類のパケット識別子(ＰＩＤ)とステップＳ２０４でトランスポート・ストリーム情報取得部１０７により取得された新しい４種類のパケット識別子(ＰＩＤ)との不一致は、例えば、放送番組を提供する放送局の管理に起因する。例えば、放送局での番組編成の変更等によって、同一の放送番組であっても、番組マップテーブル(ＰＭＴ)と映像エレメンタリー・ストリームと音声エレメンタリー・ストリームと限定受信システム(ＣＡＳ)で必要な共通情報(ＥＣＭ)の４種類のパケット識別子(ＰＩＤ)が新しいパケット識別子(ＰＩＤ)に変更される場合がある。従って、この変更の後では、同一の放送番組を受信する際に過去の古いパケット識別子(ＰＩＤ)を使用しても、ステップＳ２０９では異常な映像データと音声データとが映像・音声出力部１０９に出力されてしまう。
【００８１】
従って、ステップＳ２０８で４種類のパケット識別子(ＰＩＤ)の不一致が検出された場合には、ステップＳ２０７に進む。ステップＳ２０７では、ステップＳ２０１で取得が開始された最新の番組関連テーブル(ＰＡＴ)に含まれる最新の番組マップテーブル(ＰＭＴ)に記述された番組マップテーブル(ＰＭＴ)と映像エレメンタリー・ストリームと音声エレメンタリー・ストリームと限定受信システム(ＣＡＳ)で必要な共通情報(ＥＣＭ)の４種類の新しいパケット識別子(ＰＩＤ)をトランスポート・ストリーム情報取得部１０７に設定するものである。トランスポート・ストリーム情報取得部１０７の新規な選局情報の設定による放送番組の受信によってこの放送番組の選局情報は番組名・選局情報管理テーブル１０３に格納されるので、次回からの放送番組の選局時間を短縮することができる。
【００８２】
一方、過去の受信動作によって情報記憶部１０２の番組名・選局情報管理テーブル１０３中に過去に保存されていなかった選局情報の放送番組名と番組名に対応する番組マップテーブル(ＰＭＴ)と映像エレメンタリー・ストリームと音声エレメンタリー・ストリームと限定受信システム(ＣＡＳ)で必要な共通情報(ＥＣＭ)の４種類の新しいパケット識別子(ＰＩＤ)とが、ステップＳ２０２で情報記憶部１０２の番組名・選局情報管理テーブル１０３に格納されるものである。
【００８３】
≪番組名・選局情報管理テーブルの他の構成≫
図４は、図１に示す本発明の実施の形態によるディジタル放送受信装置１の情報記憶部１０２の番組名・選局情報管理テーブル１０３の他の構成を示す図である。
【００８４】
図４に示す番組名・選局情報管理テーブル１０３は、図３の番組名・選局情報管理テーブル１０３と比較すると、１番目の番組名エントリー１０３１に対応する２番目のエントリー１０３２と３番目のエントリー１０３３と４番目のエントリー１０３４と５番目のエントリー１０３５とはそれぞれ異なる利用頻度に対応する複数のカラムを含むものである。それによって、図４に示す番組名・選局情報管理テーブル１０３には、同一の番組名であるがユーザの視聴による使用頻度が異なった複数の放送番組のそれぞれの番組マップテーブル(ＰＭＴ)と番組を構成する映像エレメンタリー・ストリームと音声エレメンタリー・ストリームと限定受信システム(ＣＡＳ)に必要な共通情報(ＥＣＭ)の４種類のパケット識別子(ＰＩＤ)が格納可能とされている。
【００８５】
図４に示す番組名・選局情報管理テーブル１０３の例では、同一の番組名であっても使用頻度が９０％の第１の放送番組の４種類のパケット識別子(ＰＩＤ)と使用頻度が１０％の第２の放送番組の４種類のパケット識別子(ＰＩＤ)とが格納可能とされている。
【００８６】
《他の高速選局方法》
図５は、図１に示す本発明の実施の形態によるディジタル放送受信装置１が図４に示す番組名・選局情報管理テーブル１０３を情報記憶部１０２に含む場合において実行される高速選局方法の処理を示す図である。
【００８７】
以下に、図５に示す高速選局方法の処理を、図２に示す高速選局方法の処理との相違に関して説明する。
【００８８】
図５に示す高速選局方法の処理では、図２の高速選局方法の処理でのステップＳ２０７の新しいパケット識別子(ＰＩＤ)の設定の処理は図５のステップＳ２１０の検索での使用頻度の変更の処理に置換される一方、図５のステップＳ２１０の処理の後は図５のステップＳ２０１に移るものである。図５に示す高速選局方法の処理のその他の処理は、図２の高速選局方法の処理と同一である。
【００８９】
すなわち、図５に示す高速選局方法の処理において、ステップＳ２０５の比較的簡単な確認により各パケットの取得が正常に実行されていないと確認された場合には、またはステップＳ２０８で４種類のパケット識別子(ＰＩＤ)の不一致が検出された場合には、ステップＳ２１０の処理に進むものである。すなわち、図５のステップＳ２１０では、図５のステップＳ２０１における番組名・選局情報管理テーブル１０３の検索のために使用頻度をワンレベルだけ低いレベルの使用頻度に変更する。
【００９０】
従って、図５のステップＳ２０１における番組名を検索キーとした番組名・選局情報管理テーブル１０３での検索の結果からワンレベルだけ低いレベルの使用頻度を持つ選局対象情報が番組名・選局情報管理テーブル１０から出力されて、ステップＳ２０２の処理に進む。
【００９１】
図５のステップＳ２０２では、番組名・選局情報管理テーブル１０３の検索により出力されたワンレベルだけ低いレベルの使用頻度を持つ選局対象情報の番組マップテーブル(ＰＭＴ)と映像エレメンタリー・ストリームと音声エレメンタリー・ストリームと限定受信システム(ＣＡＳ)で必要な共通情報(ＥＣＭ)の４種類のパケット識別子(ＰＩＤ)は、選局処理制御部１０５によってそのままトランスポート・ストリーム情報取得部１０７に設定される。
【００９２】
以上説明した実施の形態によれば、番組名・選局情報管理テーブル１０３に過去に保存された選局情報を利用してパケットの取得ができなかった場合にも、同一の放送番組名に対応して使用頻度が次に高いパケット識別子(ＰＩＤ)を再度設定することによって、放送受信時のトランスポート・ストリームのパケットを取得する成功確率を高めることができるものである。
【００９３】
≪ディジタルテレビジョン放送受信装置用の高機能システムＬＳＩ≫
図６は、上記で説明した種々の実施の形態のディジタル放送受信装置１の動作機能と基本的に同一の動作機能を持つ高機能システムＬＳＩとして構成された半導体集積回路の構成を示す図である。
【００９４】
図６に示す高機能システムＬＳＩとして構成された半導体集積回路５００の半導体チップには、中央処理ユニット(ＣＰＵ)５０１、ＭＰＥＧビデオ・デコード・エンジン５０２、バス５０３、トランスポート・ストリーム・入出力ユニット５０４、周辺インターフェースユニット５０５、メモリコントローラ５０６、２次元・３次元グラフィック映像信号処理ユニット５０７、映像・音声・入出力ユニット５０８が集積化されている。
【００９５】
半導体集積回路５００の外部の地上波ディジタルチューナー２０１と衛星ディジタルチューナー２０２とを含むＲＦインターフェース２００とＩＰネットワークからディジタル放送を受信するためのイーサーネットワーク・インターフェース２０３とは、トランスポート・ストリーム・入出力ユニット５０４に接続可能とされている。受信機のスクランブル解除処理制御のために各視聴者の契約内容情報ＥＭＣが書き込まれるＢ−ＣＡＳカード２０４が、周辺インターフェースユニット５０５に接続可能とされている。周辺インターフェースユニット５０５には、更にリムーバブル・フラッシュメモリカード２０５、ハードディスクドライブ(ＨＤＤ)磁気記憶装置２０６、ＤＶＤ記録装置２０７が接続可能とされている。またメモリコントローラ５０６には、大容量・高速のダイナミックランダムアクセスメモリ(ＤＲＡＭ)２０８と大容量のフラッシュ不揮発性半導体メモリ２０９とが接続可能とされている。
【００９６】
半導体集積回路５００に接続可能とされたＨＤＤ磁気記憶装置２０６とフラッシュ不揮発性半導体メモリ２０９とのいずれか一方に、図１で説明した番組名・選局情報管理テーブル１０３を含む情報記憶部１０２が構築されることができる。
【００９７】
ＣＰＵ５０１はＢ−ＣＡＳカード２０４に書き込まれた視聴者の契約内容情報ＥＭＭを参照する一方、ＨＤＤ磁気記憶装置２０６とフラッシュ不揮発性半導体メモリ２０９との一方に構築された番組名・選局情報管理テーブル１０３を検索することで高速選局を可能としている。すなわち、ＣＰＵ５０１は図１のディジタル放送受信装置１の選局処理制御部１０５と選局情報推定部１０６と同一の動作機能を持ち、ＨＤＤ磁気記憶装置２０６とフラッシュ不揮発性半導体メモリ２０９との一方に構築された番組名・選局情報管理テーブル１０３の検索の結果から得られた選局情報としての上述の４種類の識別子(ＰＩＤ)をトランスポート・ストリーム・入出力ユニット５０４に設定する。
【００９８】
その結果、ＲＦインターフェース２００またはイーサーネットワーク・インターフェース２０３によって受信される多数のディジタル放送からユーザが視聴を希望する放送番組の復号化された映像・音声エレメンタリー・ストリームが、トランスポート・ストリーム・入出力ユニット５０４で抽出されることができる。すなわち、トランスポート・ストリーム・入出力ユニット５０４は、図１のディジタル放送受信装置１に含まれたトランスポート・ストリーム取得部１０４、トランスポート・ストリーム情報取得部１０７と同一の動作機能を持つものである。抽出された復号化映像・音声エレメンタリー・ストリームはトランスポート・ストリーム・入出力ユニット５０４からＭＰＥＧビデオ・デコード・エンジン５０２に転送され、エンジン５０２では高速リアルタイム・ＭＰＥＧ・デコードが実行される。その結果、ＭＰＥＧビデオ・デコード・エンジン５０２にて形成された復号化映像・音声信号は２次元・３次元グラフィック映像信号処理ユニット５０７で処理されてから、映像・音声・入出力ユニット５０８に転送されるものである。このように、ＭＰＥＧビデオ・デコード・エンジン５０２は、図１のディジタル放送受信装置１に含まれたデコード制御部１０８と同一の動作機能を持つものである。
【００９９】
以上本発明者によってなされた発明を実施形態に基づいて具体的に説明したが、本発明はそれに限定されるものではなく、その要旨を逸脱しない範囲において種々変更可能であることは言うまでもない。
【０１００】
例えば、本発明では、情報記憶部１０２の番組名・選局情報管理テーブル１０３中に格納される選局情報として番組マップテーブル(ＰＭＴ)と映像エレメンタリー・ストリームと音声エレメンタリー・ストリームと限定受信システム(ＣＡＳ)で必要な共通情報(ＥＣＭ)の４種類の新しいパケット識別子(ＰＩＤ)に対応して放送番組名の全ての文字情報を格納するものに限定されるものではない。すなわち、本発明のその他の実施の形態として、上述の４種類のパケット識別子(ＰＩＤ)に対応して放送番組名の一部の重要なキーワードの文字情報を情報記憶部１０２の番組名・選局情報管理テーブル１０３に格納することもできる。
【０１０１】
また、本発明は、ディジタルテレビジョン放送波によるトランスポート・ストリームを受信するディジタルテレビジョン放送受信装置以外にも、セットトップボックス(Set Top Box)や地上波ディジタル放送等を受信する機能を持つパーソナル・コンピュータ等にも適用することができる。
【図面の簡単な説明】
【０１０２】
【図１】図１は、本発明の実施の形態によるディジタル放送受信装置の構成を説明するブロック図である。
【図２】図２は、図１に示す本発明の実施の形態によるディジタル放送受信装置において実行される高速選局方法の処理を示す図である。
【図３】図３は、図１に示す本発明の実施の形態によるディジタル放送受信装置の情報記憶部の番組名・選局情報管理テーブルの構成を示す図である。
【図４】図４は、図１に示す本発明の実施の形態によるディジタル放送受信装置の情報記憶部の番組名・選局情報管理テーブルの他の構成を示す図である。
【図５】図５は、図１に示す本発明の実施の形態によるディジタル放送受信装置が図４に示す番組名・選局情報管理テーブルを情報記憶部に含む場合において実行される高速選局方法の処理を示す図である。
【図６】図６は、上記で説明した種々の実施の形態のディジタル放送受信装置の動作機能と基本的に同一の動作機能を持つ高機能システムＬＳＩとして構成された半導体集積回路の構成を示す図である。
【符号の説明】
【０１０３】
１：ディジタル放送受信装置、
１０１：受信選局入力部、
１０２：情報記憶部、
１０３：番組名・選局情報管理テーブル、
１０４：トランスポート・ストリーム取得部、
１０５：選局処理制御部、
１０６：選局情報推定部、
１０７：トランスポート・ストリーム情報取得部、
１０８：デコード制御部、
１０９：映像・音声出力部、
２００：ＲＦインターフェース
２０１：地上波ディジタルチューナー
２０２：衛星ディジタルチューナー
２０３：イーサーネットワーク・インターフェース
２０４：Ｂ−ＣＡＳカード
２０５：リムーバブル・フラッシュメモリカード
２０６：ハードディスクドライブ(ＨＤＤ)磁気記憶装置
２０７：ＤＶＤ記録装置
２０８：ダイナミックランダムアクセスメモリ(ＤＲＡＭ)
２０９：フラッシュ不揮発性半導体メモリ
１０３１：番組名、
１０３２：ＰＭＴのパケット識別子(ＰＩＤ)、
１０３３：映像エレメンタリー・ストリームパケットのパケット識別子(ＰＩＤ)、
１０３４：音声エレメンタリー・ストリームパケットのパケット識別子(ＰＩＤ)、
１０３５：ＥＣＭのパケット識別子(ＰＩＤ)、
１０３６：１０３２〜１０３５までのパケット識別子(ＰＩＤ)の値、
１０３７：パケット識別子(ＰＩＤ)の値ごとの使用頻度
５００：半導体集積回路
５０１：中央処理ユニット(ＣＰＵ)
５０２：ＭＰＥＧビデオ・デコード・エンジン
５０３：バス
５０４：トランスポート・ストリーム・入出力ユニット
５０５：周辺インターフェースユニット
５０６：メモリコントローラ
５０７：２次元・３次元グラフィック映像信号処理ユニット
５０８：映像・音声・入出力ユニット
【図１】
2010041492.tif 000003
【図２】
2010041492.tif 000004
【図３】
2010041492.tif 000005
【図４】
2010041492.tif 000006
【図５】
2010041492.tif 000007
【図６】
2010041492.tif 000008